(57)【要約】【課題】学習者が習得できていない基本能力を顕在化させて、学習者の歌唱能力を強化する歌唱訓練装置を提供する。【解決手段】歌唱訓練装置１は、基礎項目に対応する基礎訓練メニュー８ｂと歌唱訓練メニュー８ａとを記憶する訓練メニュー記憶部８と、訓練メニューを選択する訓練メニュー選択部６と、範唱を出力する範唱出力部２と、音声の入力を受け付ける音声入力部４と、音声を分析して学習者音声情報ＧＤを生成する音声分析部６ｂと、範唱音声情報ＨＤと学習者音声情報ＧＤとを比較して、乖離度を算出する乖離度算出部６ｃと、訓練メニューを指定する訓練メニュー指定部６ｄとを備えている。訓練メニュー指定部６ｄは、基礎項目毎の項目乖離度と項目閾値とをそれぞれ比較して、いずれかの項目乖離度が対応する項目閾値を超えた場合、項目乖離度に対応する基礎項目の基礎訓練メニュー８ｂを指定する。【選択図】図２
2016173540.tif 000002
【特許請求の範囲】
【請求項１】
出力された範唱に対し追唱した学習者の音声を評価して、歌唱の訓練を実施する歌唱訓練装置であって、
範唱に対応する範唱音声情報が、それぞれ設定された複数の訓練メニューを記憶する訓練メニュー記憶部と、
前記訓練メニュー記憶部に記憶された複数の訓練メニューのうち、いずれかの訓練メニューを選択する訓練メニュー選択部と、
前記訓練メニュー選択部に選択された訓練メニューに基づいて、範唱を出力する範唱出力部と、
学習者の音声の入力を受け付ける音声入力部と、
前記音声入力部に入力された学習者の音声を分析して、学習者音声情報を生成する音声分析部と、
前記訓練メニュー選択部に選択された訓練メニューに対応する範唱音声情報と、前記音声分析部に生成された学習者音声情報とを比較して、隔たりを示す乖離度を算出する乖離度算出部と、
前記乖離度算出部に算出された乖離度に基づいて、前記訓練メニュー選択部に選択させる訓練メニューを指定する訓練メニュー指定部とを備え、
前記学習者音声情報は、歌唱における基礎の要素として複数の基礎項目が予め設定されており、
前記複数の訓練メニューは、前記複数の基礎項目に対応した基礎訓練メニューと、歌唱の訓練に対応する歌唱訓練メニューとを含む構成とされ、
前記乖離度は、前記複数の基礎項目毎に項目乖離度が設けられ、該項目乖離度毎に対応する項目閾値が設定されており、
前記訓練メニュー指定部は、前記複数の基礎項目毎の項目乖離度と、該項目乖離度に対応する項目閾値とをそれぞれ比較して、いずれかの項目乖離度が対応する項目閾値を超えた場合、該項目乖離度に対応する基礎項目の基礎訓練メニューを指定すること
を特徴とする歌唱訓練装置。
【請求項２】
請求項１に記載の歌唱訓練装置であって、
前記訓練メニュー指定部は、前記項目乖離度と前記項目閾値とを比較した際、いずれの項目乖離度も対応する項目閾値を超えていない場合、前記歌唱訓練メニューを指定すること
を特徴とする歌唱訓練装置。
【請求項３】
請求項１または請求項２に記載の歌唱訓練装置であって、
前記訓練メニュー指定部は、前記項目乖離度と前記項目閾値とを比較した際、複数の項目乖離度が対応する項目閾値を超えた場合、前記項目乖離度と前記項目閾値との差が最大となった基礎項目の基礎訓練メニューを指定すること
を特徴とする歌唱訓練装置。
【請求項４】
請求項１から請求項３までのいずれか１つに記載の歌唱訓練装置であって、
前記複数の訓練メニューは、それぞれ難易度が予め設定されており、
前記訓練メニュー指定部は、難易度が低い訓練メニューから順に指定すること
を特徴とする歌唱訓練装置。
【請求項５】
請求項１から請求項４までのいずれか１つに記載の歌唱訓練装置であって、
前記複数の基礎項目として、音声における息漏れが設定されていること
を特徴とする歌唱訓練装置。
【請求項６】
範唱に対応する範唱音声情報が、それぞれ設定された複数の訓練メニューを記憶する訓練メニュー記憶部を備え、出力された範唱に対し追唱した学習者の音声を評価して、歌唱の訓練を実施する歌唱訓練装置における歌唱訓練方法であって、
訓練メニュー選択部に、前記訓練メニュー記憶部に記憶された複数の訓練メニューのうち、いずれかの訓練メニューを選択させる訓練メニュー選択ステップと、
範唱出力部に、前記訓練メニュー選択部に選択された訓練メニューに基づいて、範唱を出力させる範唱出力ステップと、
音声入力部に、学習者の音声の入力を受け付けさせる音声入力ステップと、
音声分析部に、前記音声入力部に入力された学習者の音声を分析して、学習者音声情報を生成させる音声分析ステップと、
乖離度算出部に、前記訓練メニュー選択部に選択された訓練メニューに対応する範唱音声情報と、前記音声分析部に生成された学習者音声情報とを比較して、隔たりを示す乖離度を算出させる乖離度算出ステップと、
訓練メニュー指定部に、前記乖離度算出部に算出された乖離度に基づいて、前記訓練メニュー選択部に選択させる訓練メニューを指定させる訓練メニュー指定ステップとを含み、
前記学習者音声情報は、歌唱における基礎の要素として複数の基礎項目が予め設定されており、
前記複数の訓練メニューは、前記複数の基礎項目に対応した基礎訓練メニューと、歌唱の訓練に対応する歌唱訓練メニューとを含む構成とされ、
前記乖離度は、前記複数の基礎項目毎に項目乖離度が設けられ、該項目乖離度毎に対応する項目閾値が設定されており、
前記訓練メニュー指定ステップは、前記複数の基礎項目毎の項目乖離度と、該項目乖離度に対応する項目閾値とをそれぞれ比較して、いずれかの項目乖離度が対応する項目閾値を超えた場合、該項目乖離度に対応する基礎項目の基礎訓練メニューを指定すること
を特徴とする歌唱訓練方法。
【請求項７】
請求項６に記載の各ステップをコンピュータに実行させるための歌唱訓練プログラム。
【発明の詳細な説明】
【技術分野】
【０００１】
本発明は、出力された範唱に対し追唱した学習者の音声を評価して、歌唱の訓練を実施する歌唱訓練装置、歌唱訓練方法、および歌唱訓練プログラムに関する。
【背景技術】
【０００２】
近年、カラオケ装置においては、歌唱を評価した得点を表示するなど、採点機能を採用したものが知られている。また、カラオケ装置は、歌唱の練習にも用いられており、ユーザは、伴奏に合わせて繰り返し歌唱することで、歌唱能力の向上を図っている。
【０００３】
ところで、歌唱の練習の際、歌を最初から最後まで歌うのでは、１度に練習する量が多すぎて効率的ではない。そこで、歌全体を練習させるのではなく、歌の一部であるフレーズ毎に練習させる歌唱特訓機能付きカラオケ装置が開発されている（例えば、特許文献１参照。）。
【先行技術文献】
【特許文献】
【０００４】
【特許文献１】特開２００２−３５１４７７号公報
【発明の概要】
【発明が解決しようとする課題】
【０００５】
特許文献１に記載のカラオケ装置は、いずれかのフレーズにおける評価結果を表示した際、利用者からの入力に応じて、同じフレーズを繰り返すか、次のフレーズに進めるかを選択している。これによって、利用者は、歌いづらく難しいフレーズの練習を何度も繰り返し、歌えるようになったフレーズの練習を省くなど、利用者自身が判断して効率よく練習できる。
【０００６】
ところで、歌唱において、巧拙を決める要素は様々であり、単に歌うことだけが練習となるわけではない。つまり、音程、音量、裏声、および息漏れなどの発声に関する基本能力を複合させることで、歌唱が成り立っており、これらの基本能力を意図的に訓練することで、歌唱能力を効率よく向上させることができる。しかしながら、特許文献１に記載のカラオケ装置では、フレーズ毎に歌唱の練習を繰り返すだけであって、歌唱の基となる基本能力まで遡って訓練をすることができない。例えば、音程の基本能力が欠けている利用者においては、特定のフレーズの練習を繰り返すことで、そのフレーズを上手に歌えるようになったとしても、異なる旋律とされたフレーズに対しては、音程がずれるなどして、再度、練習の繰り返しが必要となることが考えられる。このように、いずれかの基本能力が欠けているにも拘らず、そのことを把握せずに、歌うだけの練習をしたのでは、同じことの繰り返しになってしまい、結果的に効率の悪い練習になるという課題がある。
【０００７】
本発明は、上記の課題を解決するためになされたものであり、学習者が習得できていない基本能力を顕在化させて学習者の歌唱能力を確実に強化することができる歌唱訓練装置、歌唱訓練方法、および歌唱訓練プログラムを提供することを目的とする。
【課題を解決するための手段】
【０００８】
本発明に係る歌唱訓練装置は、出力された範唱に対し追唱した学習者の音声を評価して、歌唱の訓練を実施する歌唱訓練装置であって、範唱に対応する範唱音声情報が、それぞれ設定された複数の訓練メニューを記憶する訓練メニュー記憶部と、前記訓練メニュー記憶部に記憶された複数の訓練メニューのうち、いずれかの訓練メニューを選択する訓練メニュー選択部と、前記訓練メニュー選択部に選択された訓練メニューに基づいて、範唱を出力する範唱出力部と、学習者の音声の入力を受け付ける音声入力部と、前記音声入力部に入力された学習者の音声を分析して、学習者音声情報を生成する音声分析部と、前記訓練メニュー選択部に選択された訓練メニューに対応する範唱音声情報と、前記音声分析部に生成された学習者音声情報とを比較して、隔たりを示す乖離度を算出する乖離度算出部と、前記乖離度算出部に算出された乖離度に基づいて、前記訓練メニュー選択部に選択させる訓練メニューを指定する訓練メニュー指定部とを備え、前記学習者音声情報は、歌唱における基礎の要素として複数の基礎項目が予め設定されており、前記複数の訓練メニューは、前記複数の基礎項目に対応した基礎訓練メニューと、歌唱の訓練に対応する歌唱訓練メニューとを含む構成とされ、前記乖離度は、前記複数の基礎項目毎に項目乖離度が設けられ、該項目乖離度毎に対応する項目閾値が設定されており、前記訓練メニュー指定部は、前記複数の基礎項目毎の項目乖離度と、該項目乖離度に対応する項目閾値とをそれぞれ比較して、いずれかの項目乖離度が対応する項目閾値を超えた場合、該項目乖離度に対応する基礎項目の基礎訓練メニューを指定することを特徴とする。
【０００９】
本発明に係る歌唱訓練装置では、前記訓練メニュー指定部は、前記項目乖離度と前記項目閾値とを比較した際、いずれの項目乖離度も対応する項目閾値を超えていない場合、前記歌唱訓練メニューを指定する構成としてもよい。
【００１０】
本発明に係る歌唱訓練装置では、前記訓練メニュー指定部は、前記項目乖離度と前記項目閾値とを比較した際、複数の項目乖離度が対応する項目閾値を超えた場合、前記項目乖離度と前記項目閾値との差が最大となった基礎項目の基礎訓練メニューを指定する構成としてもよい。
【００１１】
本発明に係る歌唱訓練装置では、前記複数の訓練メニューは、それぞれ難易度が予め設定されており、前記訓練メニュー指定部は、難易度が低い訓練メニューから順に指定する構成としてもよい。
【００１２】
本発明に係る歌唱訓練装置では、前記複数の基礎項目として、音声における息漏れが設定されている構成としてもよい。
【００１３】
本発明に係る歌唱訓練方法は、範唱に対応する範唱音声情報が、それぞれ設定された複数の訓練メニューを記憶する訓練メニュー記憶部を備え、出力された範唱に対し追唱した学習者の音声を評価して、歌唱の訓練を実施する歌唱訓練装置における歌唱訓練方法であって、訓練メニュー選択部に、前記訓練メニュー記憶部に記憶された複数の訓練メニューのうち、いずれかの訓練メニューを選択させる訓練メニュー選択ステップと、範唱出力部に、前記訓練メニュー選択部に選択された訓練メニューに基づいて、範唱を出力させる範唱出力ステップと、音声入力部に、学習者の音声の入力を受け付けさせる音声入力ステップと、音声分析部に、前記音声入力部に入力された学習者の音声を分析して、学習者音声情報を生成させる音声分析ステップと、乖離度算出部に、前記訓練メニュー選択部に選択された訓練メニューに対応する範唱音声情報と、前記音声分析部に生成された学習者音声情報とを比較して、隔たりを示す乖離度を算出させる乖離度算出ステップと、訓練メニュー指定部に、前記乖離度算出部に算出された乖離度に基づいて、前記訓練メニュー選択部に選択させる訓練メニューを指定させる訓練メニュー指定ステップとを含み、前記学習者音声情報は、歌唱における基礎の要素として複数の基礎項目が予め設定されており、前記複数の訓練メニューは、前記複数の基礎項目に対応した基礎訓練メニューと、歌唱の訓練に対応する歌唱訓練メニューとを含む構成とされ、前記乖離度は、前記複数の基礎項目毎に項目乖離度が設けられ、該項目乖離度毎に対応する項目閾値が設定されており、前記訓練メニュー指定ステップは、前記複数の基礎項目毎の項目乖離度と、該項目乖離度に対応する項目閾値とをそれぞれ比較して、いずれかの項目乖離度が対応する項目閾値を超えた場合、該項目乖離度に対応する基礎項目の基礎訓練メニューを指定することを特徴とする。
【００１４】
本発明に係る歌唱訓練プログラムは、本発明に係る歌唱訓練方法の各ステップをコンピュータに実行させることを特徴とする。
【発明の効果】
【００１５】
本発明によると、歌唱の評価において、基礎項目毎に評価することで、学習者が習得できていない基本能力を顕在化させ、不足する基本能力に遡って基礎訓練を実施するので、学習者の歌唱能力を確実に強化することができる。
【図面の簡単な説明】
【００１６】
【図１】本発明の実施の形態に係る歌唱訓練装置での訓練の流れを示す模式図である。
【図２】本発明の実施の形態に係る歌唱訓練装置の構成を示す構成図である。
【図３Ａ】音程に関する学習者音声情報と範唱音声情報とを比較した一例を示す説明図である。
【図３Ｂ】音量に関する学習者音声情報と範唱音声情報とを比較した一例を示す説明図である。
【図３Ｃ】裏声に関する学習者裏声情報と範唱裏声情報とを比較した一例を示す説明図である。
【図３Ｄ】息漏れに関する学習者息漏れ情報と範唱息漏れ情報とを比較した一例を示す説明図である。
【図４】第１表示画面を示す説明図である。
【図５】第２表示画面を示す説明図である。
【図６Ａ】第３表示画面を示す説明図である。
【図６Ｂ】第４表示画面を示す説明図である。
【図６Ｃ】第５表示画面を示す説明図である。
【図７Ａ】第６表示画面を示す説明図である。
【図７Ｂ】第７表示画面を示す説明図である。
【図８】第８表示画面を示す説明図である。
【図９】歌唱訓練方法のメインフローを示すフロー図である。
【図１０】歌唱訓練メニュー処理を示すフロー図である。
【図１１】基礎訓練メニュー処理を示すフロー図である。
【発明を実施するための形態】
【００１７】
以下、本発明の実施の形態に係る歌唱訓練装置について、図面を参照して説明する。
【００１８】
図１は、本発明の実施の形態に係る歌唱訓練装置での訓練の流れを示す模式図である。
【００１９】
図１では、歌唱訓練ＭＫおよび基礎訓練（第１基礎訓練ＢＫ１ないし第３基礎訓練ＢＫ３）の流れを模式的に示している。つまり、歌唱訓練ＭＫおよび基礎訓練は、矢符の向きに沿った順で予め決められた内容が実施される。ここでの内容とは、例えば、楽曲の楽譜に相当し、楽曲の初めから終わりまでの一連の流れを示している。また、訓練の段階とされていてもよく、予め決められた複数のメニューを実施する順番であってもよい。
【００２０】
本発明の実施の形態に係る歌唱訓練装置１（詳しくは、図２参照）では、歌唱における基礎の要素として複数の基礎項目が予め設定されており、先ず、学習者に歌唱訓練ＭＫを実施させる。そして、歌唱訓練ＭＫを評価した際、いずれかの基礎項目に関する能力（基本能力）が欠如していると判断すれば、歌唱訓練ＭＫを中断して、基礎項目に対応する第１基礎訓練ＢＫ１を実施する。第１基礎訓練ＢＫ１の実施によって、学習者に基本能力が身に付いたと判断すれば、歌唱訓練ＭＫを再開する。歌唱訓練ＭＫを再開した後、他の基礎項目に関する能力が欠如していると判断すれば、再度、対応する基礎訓練として第２基礎訓練ＢＫ２を実施する。また、基礎訓練を実施している際には、他の基礎項目に対応する基礎訓練（例えば、第３基礎訓練ＢＫ３）を実施してもよい。
【００２１】
歌唱訓練ＭＫでは、範唱が出力され、学習者に追唱させる。ここで、範唱は、歌唱の模範となる音声に相当する。なお、範唱は、楽曲の伴奏だけであってもよいし、歌唱に習熟している人の音声であってもよい。
【００２２】
基礎訓練では、予め設定された内容に基づいて、学習者に発声させる。基礎訓練として設定された内容は、例えば、「ホー、ホー」といった１つの文字を、複数回発声させるものであってもよいし、音程や音量を変更しながら発声させるものであってもよい。また、後述する基礎項目のうち、「息漏れ」に対応する基礎訓練では、口を「ホ」と発声する状態にして、音声を伴わずに息だけを吐く方法が挙げられる。この際には、頬を膨らませないことと、顎を動かさないこととが重要とされている。
【００２３】
このように、歌唱訓練装置１では、学習者に歌唱訓練ＭＫとは異なる基礎訓練を実施させる。これによって、単なる歌唱の繰り返しに留まらず、学習者に欠如している基本能力を鍛えており、学習者の歌唱能力を総合的に向上させている。
【００２４】
図２は、本発明の実施の形態に係る歌唱訓練装置の構成を示す構成図である。
【００２５】
歌唱訓練装置１は、範唱出力部２、表示部３、音声入力部４、操作入力部５、ＣＰＵ６、および記憶領域７を備えた構成とされており、出力した範唱に対し追唱した学習者の音声を評価して、歌唱の訓練を実施する。
【００２６】
範唱出力部２は、スピーカであって、範唱を出力する。ここで、範唱は、歌唱の模範となる音声に相当する。なお、範唱出力部２から出力するのは、範唱だけに限定されず、歌の伴奏や、学習者に対する指示を出力してもよい。
【００２７】
表示部３は、ディスプレイであって、訓練の内容を示す画面を表示する。なお、表示部３に表示される画面については、後述する図４ないし図８を参照して、詳細に説明する。
【００２８】
音声入力部４は、マイクロフォンであって、人（学習者）が発した音声等の音響（振動）を電気信号に変換する電気音響変換機である。また、音声入力部４は、さらに、Ａ／Ｄコンバータを含む構成とされていてもよく、マイクロフォンから入力されるアナログ信号は、Ａ／Ｄコンバータによってデジタル信号に変換される。
【００２９】
操作入力部５は、ボタンやキーボードであって、学習者からの指示の入力を受け付ける。なお、操作入力部５は、他の部分から独立していてもよく、例えば、無線を介して接続されたリモートコントローラであってもよい。また、表示部３および操作入力部５は、一体とされたタッチパネルとされていてもよく、学習者の指やペンなどが接した位置を検知して入力を受け付けてもよい。
【００３０】
ＣＰＵ６は、中央演算処理装置であって、訓練メニュー選択部６ａ、音声分析部６ｂ、乖離度算出部６ｃ、および訓練メニュー指定部６ｄを予め組み込まれたプログラムとして記憶しており、記憶したプログラムを実行することにより、後述する処理を実行する。
【００３１】
記憶領域７は、例えば、ＨＤＤやメモリであって、訓練メニュー記憶部８が設けられている。訓練メニュー記憶部８には、複数の訓練メニューとして、複数の基礎項目に対応した基礎訓練メニュー８ｂと、歌唱の訓練に対応する歌唱訓練メニュー８ａとが記憶されている。また、記憶領域７には、範唱音声情報ＨＤや学習者音声情報ＧＤが記憶される。なお、範唱音声情報ＨＤおよび学習者音声情報ＧＤについては、後述する図３Ａないし図３Ｄを参照して、詳細に説明する。
【００３２】
訓練メニュー選択部６ａは、訓練メニュー記憶部８に記憶された複数の訓練メニューのうち、いずれかの訓練メニューを選択する。範唱出力部２は、選択された訓練メニューに基づいて範唱を出力する。音声分析部６ｂは、音声入力部４に入力された学習者の音声を分析して、学習者音声情報ＧＤを生成する。乖離度算出部６ｃは、訓練メニュー選択部６ａに選択された訓練メニューに対応する範唱音声情報ＨＤと、音声分析部６ｂに生成された学習者音声情報ＧＤとを比較して、隔たりを示す乖離度Ｘを算出する。訓練メニュー指定部６ｄは、乖離度算出部６ｃに算出された乖離度Ｘに基づいて、訓練メニュー選択部６ａに選択させる訓練メニューを指定する。なお、訓練メニュー選択部６ａ、音声分析部６ｂ、乖離度算出部６ｃ、および訓練メニュー指定部６ｄによって実施される一連の処理については、後述する図９ないし図１１を参照して、詳細に説明する。
【００３３】
次に、図３Ａないし図３Ｄを参照して、範唱音声情報ＨＤおよび学習者音声情報ＧＤについて、詳細に説明する。本実施の形態において、学習者音声情報ＧＤは、音声分析部６ｂによって生成されるが、具体的に、学習者音声情報ＧＤには、複数の基礎項目が予め設定されており、音声入力部４に入力された音声を、複数の基礎項目に応じて周波数分析を行い、それぞれの基礎項目に対応した学習者項目情報（例えば、後述する学習者音程情報Ｇ１、学習者音量情報Ｇ２、学習者裏声情報Ｇ３、および学習者息漏れ情報Ｇ４）を有する学習者音声情報ＧＤを生成する。また、範唱音声情報ＨＤも、学習者音声情報ＧＤと同様に、複数の基礎項目が予め設定されており、それぞれの基礎項目に対応した範唱項目情報（例えば、後述する範唱音程情報Ｈ１、範唱音量情報Ｈ２、範唱裏声情報Ｈ３、および範唱息漏れ情報Ｈ４）を有する構成とされている。そして、乖離度算出部６ｃによって乖離度Ｘを算出する際には、それぞれの基礎項目毎に学習者項目情報と範唱項目情報とを比較する。
【００３４】
本実施の形態では、基礎項目として、「音程」、「音量」、「裏声」、および「息漏れ」が設定されている。なお、基礎項目は、これに限定されず、例えば、「ブレス（息つぎ）の長さ」、「音域」、「リズム」、および「テンポ」などが設定されていてもよい。
【００３５】
音声分析部６ｂは、学習者音声情報ＧＤに対して、ＬＰＣ（線形予測符号）分析やケプストラム分析等を行うことで、基本波（フーリエ変換した結果のうち、最も低い周波数に対応する成分）や複数の高調波（基本波の周波数の整数倍周波数に対応する成分）を抽出する。そして、抽出した結果のうち、周波数の高低に関する変動を「音程」として、学習者音程情報Ｇ１を生成する。また、信号強度に関する変動を「音量」として、学習者音量情報Ｇ２を生成する。
【００３６】
さらに、基本波と高調波との信号強度の比率に基づいて、「裏声」に関する学習者裏声情報Ｇ３を生成する。一般的に、音声は、発声方法などによって複数に分類することができ、その一例として「表声」および「裏声」が挙げられる。「表声」は、地声とも呼ばれ、声帯音源波（声帯で生じた音）において、基本波に対する高調波のエネルギ（信号強度）が大きい声区に相当する。発声機構的には、声帯を取り巻く閉鎖筋群が輪状甲状筋に対して優位に働き、声帯全体が振動して生じるものをいう。一方、「裏声」は、ファルセットとも呼ばれ、声帯音源波において、基本波に対する高調波のエネルギが相対的に小さい声区に相当する。発声機構的には、輪状甲状筋が閉鎖筋群に対して優位に働き、声帯の辺縁部が振動して生じるものをいう。つまり、音声における基本波と高調波との信号強度を比較することで、「表声」と「裏声」とのいずれかを判断することができる。
【００３７】
また、人が発声する際には、肺から空気（呼気）を押し出しており、呼気が通るときの声帯の振動が音声となる。ところで、音声を発した際、声帯の振動に殆ど係わることなく、呼気が体外に発せられることがあり、このような状態が「息漏れ」と呼ばれる。具体的に、「息漏れ」とは、人が発声する際に声門が開き、声門から呼気が漏れている状態であって、意図的に行う場合と、無意識的に行われる場合とがある。「息漏れ」が生じた際には、呼気を長く吐き続けることができず、長時間に亘って発声することができない。
【００３８】
「息漏れ」に関する学習者息漏れ情報Ｇ４については、予め入力された学習モデルに基づいて生成する。具体的には、「息漏れ」の発声法に習熟している人が実際に複数の発声を聞いて、その発声が「息漏れ」であるかどうかを判定しており、複数の発声と判定結果とを関連付けた統計が、学習モデルに予め記憶されている。学習モデルでは、予め記憶された統計に基づいて、入力された音声を評価して、学習者息漏れ情報Ｇ４を生成する。
【００３９】
なお、学習モデルは、「息漏れ」だけに限定されず、「裏声」についても設けられていてもよい。つまり、「裏声」の発声法に習熟している人の判定結果に関する統計によって、「裏声」の判定をしてもよい。
【００４０】
以下では、基礎項目毎に学習者項目情報と範唱項目情報とを比較した一例について、図面を参照して説明する。
【００４１】
図３Ａは、音程に関する学習者音声情報と範唱音声情報とを比較した一例を示す説明図である。
【００４２】
図３Ａにおいて、横軸は時間を表し、図中右方向へ進むほど時間が経過することを示している。また、縦軸はピッチ（音高）を表し、図中上方向へ進むほどピッチが高いことを示している。図３Ａでは、開始時（時間Ｔ０）から時間Ｔ６までが楽曲の１フレーズを示しており、１つの音（音符）毎の区切りを、それぞれ時間Ｔ１ないし時間Ｔ５としている。つまり、図３Ａに示すフレーズは、６つの音で構成されている。なお、これに限定されず、フレーズを構成する音の数は、適宜変更することができ、それぞれの時間の長さも適宜変更することができる。また、図３Ａでは、１フレーズだけを示しているが、これに限定されず、楽曲全体を比較したり、複数のフレーズをまとめて比較したりしてもよい。なお、時間Ｔ０は、楽曲の開始時とされていてもよいし、楽曲の途中であって、フレーズ同士の区切りとされていてもよい。
【００４３】
範唱音程情報Ｈ１は、選択された訓練メニューにおいて、模範となる音声（範唱）の音程を示している。図３Ａでは、フレーズを構成する６つの音に応じて、範唱音程情報Ｈ１を６つの矩形で示している。また、学習者音程情報Ｇ１は、曲線で示されており、時間に対する学習者の音程の軌跡を表している。なお、学習者音程情報Ｇ１が途切れている時間は、学習者が音声を発していないと判断された期間を示す。範唱音程情報Ｈ１では、模範となる音程に対して、上下に幅を持っている。つまり、範唱音程情報Ｈ１を示す矩形に、学習者音程情報Ｇ１を示す曲線が重なっている期間が、範唱音程情報Ｈ１と学習者音程情報Ｇ１とが一致していると判断され、その程度に応じて乖離度Ｘが算出される。範唱音程情報Ｈ１の上下の幅は、適宜調整してもよく、幅を狭くして学習者音程情報Ｇ１とのずれを詳しく検出してもよい。
【００４４】
例えば、時間Ｔ０から時間Ｔ１までの期間において、学習者の歌唱は、初めに、範唱より低い音程であって、徐々に範唱と重なる。また、時間Ｔ１より前に、音程が変わっている。その後、時間Ｔ１から時間Ｔ２までの期間において、学習者の歌唱は、範唱と一致している。しかしながら、学習者の歌唱は、時間Ｔ２を過ぎてから音程が変化している。つまり、範唱に対して、学習者は、２つめの音を前後に長く歌っていると判断できる。また、時間Ｔ４から時間Ｔ５までの期間において、学習者の歌唱は、範唱より高い音程となっており、全く一致していない。さらに、時間Ｔ５から時間Ｔ６までの期間において、学習者の歌唱は、時間Ｔ６に到達する前に途切れており、範唱より短く歌っていると判断できる。
【００４５】
本実施の形態では、範唱音程情報Ｈ１と学習者音程情報Ｇ１とを比較した結果、範唱音程情報Ｈ１と学習者音程情報Ｇ１とがずれている期間やずれている程度に応じて、実測値ａを算出する。そして、乖離度Ｘは、「Ｘ＝Ｋａ（Ａ−ａ）2」との関係式から算出される。なお、Ｋａは重み係数であって、Ａは目標値とされている。重み係数Ｋａと目標値Ａとについては、基礎項目毎に適宜設定されている。
【００４６】
図３Ｂは、音量に関する学習者音声情報と範唱音声情報とを比較した一例を示す説明図である。
【００４７】
図３Ｂでは、図３Ａと同様に、横軸が時間を表し、図中右方向へ進むほど時間が経過することを示している。また、縦軸は音量を表し、図中上方向へ進むほど音量が大きいことを示している。図３Ｂは、図３Ａと同様のフレーズを示しており、時間Ｔ０から時間Ｔ６までが６つの音で構成されている。なお、音量については、入力された音声での最大値および最小値等に基づいて、正規化してもよい。つまり、音量を正規化することで、フレーズや楽曲における音量の変動を比較するようにしてもよい。
【００４８】
範唱音量情報Ｈ２は、選択された訓練メニューにおいて、模範となる音声（範唱）の音量を示している。図３Ｂでは、図３Ａと同様に、フレーズを構成する６つの音に応じて、範唱音量情報Ｈ２を６つの矩形で示している。また、学習者音量情報Ｇ２は、曲線で示されており、時間に対する学習者の音量の軌跡を表している。学習者音量情報Ｇ２は、学習者音程情報Ｇ１と同様に、範唱音量情報Ｈ２と一致している程度によって、乖離度Ｘが算出される。
【００４９】
図３Ｂに示すフレーズにおいて、時間Ｔ０から時間Ｔ５までの期間の範唱は、徐々に音量が大きくなっており、時間Ｔ４から時間Ｔ５までの期間で最大となっている。その後、範唱は、時間Ｔ５から時間Ｔ６までの期間で、音量が少し低下する。これに対し、学習者の歌唱は、時間Ｔ０から時間Ｔ１までの期間で最大となっており、時間の経過と伴に、音量が徐々に低下している。学習者の歌唱と範唱とを比較すると、時間Ｔ２から時間Ｔ４までの期間では、略一致しているが、それ以外の期間では大きくずれている。
【００５０】
学習者音量情報Ｇ２は、学習者音程情報Ｇ１と同様にして、範唱音量情報Ｈ２と比較され、ずれている期間やずれている程度に応じて、実測値ａを算出し、乖離度Ｘは、上述した関係式から算出される。
【００５１】
図３Ｃは、裏声に関する学習者裏声情報と範唱裏声情報とを比較した一例を示す説明図である。
【００５２】
図３Ｃでは、図３Ａと同様に、横軸が時間を表し、図中右方向へ進むほど時間が経過することを示している。また、縦軸は裏声指標値を表し、図中上方向へ進むほど裏声指標値が大きいことを示している。裏声指標値は、音声が裏声または表声のいずれであると判定されたかの度合を示しており、「０」から「１」までの値で表され、「１」に近づくにつれて、より明確に裏声であることを表している。
【００５３】
図３Ｃにおいて、学習者裏声情報Ｇ３は、曲線で示されており、時間に対する学習者の裏声指標値の軌跡を表している。範唱裏声情報Ｈ３は、選択された訓練メニューでの範唱の裏声指標値を、範唱音程情報Ｈ１等と同様の矩形で示している。さらに、図３Ｃには、横軸に平行な裏声基準線ＳＬ１が示されている。つまり、学習者裏声情報Ｇ３は、裏声基準線ＳＬ１より裏声指標値が高い場合、裏声であると判断され、裏声基準線ＳＬ１より裏声指標値が低い場合、表声であると判断される。図３Ｃにおいて、裏声基準線ＳＬ１は、裏声指標値が「０．５」近傍とされているが、これに限定されず、適宜変更してもよい。
【００５４】
図３Ｃに示すフレーズにおいて、時間Ｔ４から時間Ｔ５までの期間の学習者の歌唱は、裏声基準線ＳＬ１より低い値となっており、それ以外の期間で裏声基準線ＳＬ１を超えている。
【００５５】
学習者裏声情報Ｇ３は、学習者音程情報Ｇ１等と同様にして、範唱裏声情報Ｈ３と比較され、ずれている期間やずれている程度に応じて、実測値ａを算出し、乖離度Ｘは、上述した関係式から算出される。
【００５６】
図３Ｄは、息漏れに関する学習者息漏れ情報と範唱息漏れ情報とを比較した一例を示す説明図である。
【００５７】
図３Ｄでは、図３Ａと同様に、横軸が時間を表し、図中右方向へ進むほど時間が経過することを示している。また、縦軸は息漏れ指標値を表し、図中上方向へ進むほど息漏れ指標値が大きいことを示している。息漏れ指標値は、音声が息漏れの状態であると判定されたかどうかの度合を示しており、「０」から「１」までの値で表され、「１」に近づくにつれて、より明確に息漏れしていることを表している。
【００５８】
図３Ｄにおいて、学習者息漏れ情報Ｇ４は、曲線で示されており、時間に対する学習者の息漏れ指標値の軌跡を表している。また、範唱息漏れ情報Ｈ４は、選択された訓練メニューでの範唱の息漏れ指標値を、範唱音程情報Ｈ１等と同様の矩形で示している。さらに、図３Ｄには、横軸に平行な息漏れ基準線ＳＬ２が示されている。つまり、学習者息漏れ情報Ｇ４は、息漏れ基準線ＳＬ２より息漏れ指標値が高い場合、息漏れしていると判断され、息漏れ基準線ＳＬ２より息漏れ指標値が低い場合、息漏れしていないと判断される。図３Ｄにおいて、息漏れ基準線ＳＬ２は、息漏れ指標値が「０．５」近傍とされているが、これに限定されず、適宜変更してもよい。
【００５９】
図３Ｄに示すフレーズにおいて、学習者の歌唱は、全体的に息漏れ指標値が高く、息漏れ基準線ＳＬ２を超えている。学習者息漏れ情報Ｇ４は、学習者音程情報Ｇ１等と同様にして、範唱息漏れ情報Ｈ４と比較され、ずれている期間やずれている程度に応じて、実測値ａを算出し、乖離度Ｘは、上述した関係式から算出される。
【００６０】
上述したように、乖離度算出部６ｃは、それぞれの学習者項目情報と対応する範唱項目情報とを比較して、乖離度Ｘを算出する。なお、以下では説明のため、基礎項目毎の乖離度Ｘをそれぞれ項目乖離度Ｘｋと呼ぶことがある。歌唱訓練装置１では、算出された乖離度Ｘに基づいて、乖離度評価が行われ、訓練メニューが指示される。
【００６１】
乖離度評価では、複数の基礎項目毎の項目乖離度Ｘｋと、項目乖離度Ｘｋに対応する項目閾値Ｐ０とがそれぞれ比較される。本実施の形態では、項目閾値Ｐ０として、第１項目閾値Ｐ１と、第１項目閾値Ｐ１より小さい値とされた第２項目閾値Ｐ２とが設定されている。
【００６２】
歌唱訓練メニュー８ａを実施した際には、先ず、項目乖離度Ｘｋと第１項目閾値Ｐ１との比較が行われる。その結果、いずれかの項目乖離度Ｘｋが対応する第１項目閾値Ｐ１を超えた場合、訓練メニュー指定部６ｄによって、項目乖離度Ｘｋに対応する基礎項目の基礎訓練メニュー８ｂが指定される。また、第１項目閾値Ｐ１を超えた項目乖離度Ｘｋに対応する基礎項目は、要訓練項目として設定される。ここで、複数の項目乖離度Ｘｋが対応する第１項目閾値Ｐ１を超えた場合には、項目乖離度Ｘｋと第１項目閾値Ｐ１との差が最大となった基礎項目の基礎訓練メニュー８ｂが指定される。この場合、項目乖離度Ｘｋと第１項目閾値Ｐ１との差が大きい順で、要訓練項目を設定すればよく、例えば、第１要訓練項目および第２要訓練項目とのように、順番を設定すればよい。つまり、項目乖離度Ｘｋが対応する第１項目閾値Ｐ１を超えた場合には、乖離度評価で不合格と判定され、要訓練項目の基礎訓練を実施させる。この場合には、「第１項目閾値Ｐ１＜項目乖離度Ｘｋ」という関係となっている。
【００６３】
次に、第１項目閾値Ｐ１を超えている項目乖離度Ｘｋが存在しないとき、項目乖離度Ｘｋと第２項目閾値Ｐ２との比較が行われる。その結果、いずれかの項目乖離度Ｘｋが対応する第２項目閾値Ｐ２を超えた場合には、乖離度評価で要注意と判定され、同じ歌唱訓練を繰り返させる。この場合には、「第２項目閾値Ｐ２＜項目乖離度Ｘｋ≦第１項目閾値Ｐ１」という関係となっている。
【００６４】
そして、いずれの項目乖離度Ｘｋも対応する第２項目閾値Ｐ２を超えていない場合には、乖離度評価で合格と判定され、歌唱訓練メニューが指定される。この場合には、「項目乖離度Ｘｋ≦第２項目閾値Ｐ２」という関係となっている。
【００６５】
また、基礎訓練メニュー８ｂを実施した際の乖離度評価では、項目閾値Ｐ０として、基礎閾値Ｐ３が設定されている。そして、項目乖離度Ｘｋと、項目乖離度Ｘｋに対応する基礎閾値Ｐ３とが比較される。なお、基礎閾値Ｐ３は、第１項目閾値Ｐ１および第２項目閾値Ｐ２と同じ値とされていてもよいし、異なる値とされていてもよい。本実施の形態において、基礎訓練の乖離度評価では、基礎閾値Ｐ３だけが設定されている。従って、項目乖離度Ｘｋが対応する基礎閾値Ｐ３を超えた場合には、乖離度評価で不合格と判定され、項目乖離度Ｘｋが対応する基礎閾値Ｐ３を超えていない場合には、乖離度評価で合格と判定される。
【００６６】
次に、表示部３に表示される第１表示画面ＤＰ１ないし第８表示画面ＤＰ８について、図面を参照して説明する。
【００６７】
図４は、第１表示画面を示す説明図である。
【００６８】
第１表示画面ＤＰ１は、歌唱訓練メニュー８ａの選択を受け付ける画面であって、メニュー選択コメントＣ１と、４つの歌唱訓練メニューキーＫ１とが表示されている。メニュー選択コメントＣ１は、学習者に歌唱訓練メニュー８ａの選択を促すコメントであって、図４では、「歌唱訓練するジャンルを選んでください」と表示されている。本実施の形態では、楽曲の内容に応じて、歌唱訓練メニュー８ａがジャンル別に分類されており、学習者は、歌唱訓練したいジャンルを選択することができる。ジャンルは、例えば、「歌曲」、「童謡」、「ポピラー」、および「歌謡曲」などが挙げられるが、これに限定されず、さらに異なるジャンルが設けられていてもよい。歌唱訓練メニューキーＫ１は、歌唱訓練メニュー８ａの選択を受け付ける。図４では、ジャンルに対応する４つの歌唱訓練メニューキーＫ１が設けられているが、これに限定されず、ジャンル等で分類せずに、歌唱訓練メニュー８ａを直接選択させてもよい。
【００６９】
図５は、第２表示画面を示す説明図である。
【００７０】
第２表示画面ＤＰ２は、訓練を実施している際の画面であって、訓練コメントＣ２と、歌詞コメントＣ３とが表示されている。なお、第２表示画面ＤＰ２は、歌唱訓練メニュー８ａに限らず、基礎訓練メニュー８ｂを実施する際にも表示される。訓練コメントＣ２は、学習者に訓練の内容を説明するコメントである。歌詞コメントＣ３は、学習者に追唱させる歌詞を表示している。なお、基礎訓練メニュー８ｂで表示される歌詞は、楽曲の歌詞だけに限定されず、予め設定された内容が表示されてもよい。
【００７１】
図６Ａは、第３表示画面を示す説明図である。
【００７２】
第３表示画面ＤＰ３は、歌唱訓練の結果を示す画面であって、乖離度評価によって不合格とされた場合を示している。第３表示画面ＤＰ３では、歌唱訓練結果コメントＣＨ１、４つの歌唱訓練評価コメントＣＰ１、歌唱訓練指示コメントＣＳ１、および基礎訓練開始キーＫ２が表示されている。歌唱訓練結果コメントＣＨ１は、乖離度評価で不合格となったことを示す歌唱不合格コメントＣＨａを表示しており、図６Ａでは、「総合評価：不合格」と表示されている。
【００７３】
歌唱訓練評価コメントＣＰ１は、設定された基礎項目に応じて、４つ設けられて、乖離度Ｘに応じた得点を表示している。本実施の形態では、歌唱訓練評価コメントＣＰ１として、音程評価コメントＣＰａ、音量評価コメントＣＰｂ、裏声評価コメントＣＰｃ、および息漏れ評価コメントＣＰｄが設けられている。音程評価コメントＣＰａは、「音程：９０」と表示し、音量評価コメントＣＰｂは、「音量：８１」と表示し、裏声評価コメントＣＰｃは、「裏声：７７」と表示し、息漏れ評価コメントＣＰｄは、「息漏れ：３２」と表示している。歌唱訓練評価コメントＣＰ１に表示される得点は、例えば、「０」から「１００」までの数値であって、乖離度Ｘが高くなるにつれて、「１００」から減点した表示とされている。つまり、図６Ａにおいては、「息漏れ」の基礎項目が最低の評価とされている。なお、歌唱訓練評価コメントＣＰ１の表示については、得点だけに限定されず、絵や文字などで表示されていてもよい。また、歌唱訓練評価コメントＣＰ１を設ける数は、基礎項目に応じて変更すればよい。
【００７４】
歌唱訓練指示コメントＣＳ１は、歌唱訓練の結果に対する学習者への指示を表示しており、図６Ａでは、乖離度評価で不合格となった際の不合格指示コメントＣＳａを表示している。「息漏れ」が最低の評価とされたことから、不合格指示コメントＣＳａには、「息漏れの基礎訓練をします」と表示されており、学習者に「息漏れ」の基礎訓練の開始を促している。
【００７５】
基礎訓練開始キーＫ２は、基礎訓練メニュー８ｂの開始の指示を受け付ける。基礎訓練開始キーＫ２によって、開始される基礎訓練メニュー８ｂは、乖離度評価の結果によって決定されており、図６Ａに示す場合では、「息漏れ」の基礎訓練メニュー８ｂが開始される。
【００７６】
図６Ｂは、第４表示画面を示す説明図である。
【００７７】
第４表示画面ＤＰ４は、第３表示画面ＤＰ３と同様に、歌唱訓練の結果を示す画面であって、乖離度評価によって要注意とされた場合を示している。第４表示画面ＤＰ４では、歌唱訓練結果コメントＣＨ１、４つの歌唱訓練評価コメントＣＰ１、歌唱訓練指示コメントＣＳ１、および歌唱訓練開始キーＫ３が表示されている。歌唱訓練結果コメントＣＨ１は、乖離度評価で要注意となったことを示す歌唱要注意コメントＣＨｂを表示しており、図６Ｂでは、「総合評価：要注意」と表示されている。
【００７８】
歌唱訓練評価コメントＣＰ１は、図６Ａと同様に４つ設けられており、図６Ｂでは、「音程：９０」、「音量：５３」、「裏声：７７」、および「息漏れ：８２」と表示され、「音量」の基礎項目が最低の評価とされている。
【００７９】
図６Ｂにおいて、歌唱訓練指示コメントＣＳ１は、乖離度評価で要注意となった際の要注意指示コメントＣＳｂを表示している。図６Ｂでは、「音量」が最低の評価とされているが、基礎訓練を実施する程度ではないと判断されたことから、学習者へ歌唱における注意を促すコメントが表示されている。
【００８０】
歌唱訓練開始キーＫ３は、歌唱訓練メニュー８ａの開始の指示を受け付け、再度、同じ歌唱訓練メニュー８ａを繰り返す。
【００８１】
図６Ｃは、第５表示画面を示す説明図である。
【００８２】
第５表示画面ＤＰ５は、第３表示画面ＤＰ３と同様に、歌唱訓練の結果を示す画面であって、乖離度評価によって合格とされた場合を示している。第５表示画面ＤＰ５では、歌唱訓練結果コメントＣＨ１、４つの歌唱訓練評価コメントＣＰ１、歌唱訓練指示コメントＣＳ１、歌唱訓練選択キーＫ４、および終了キーＫ５が表示されている。歌唱訓練結果コメントＣＨ１は、乖離度評価で合格となったことを示す歌唱合格コメントＣＨｃを表示しており、図６Ｃでは、「総合評価：合格」と表示されている。
【００８３】
歌唱訓練評価コメントＣＰ１は、図６Ａと同様に４つ設けられており、図６Ｃでは、「音程：９０」、「音量：８１」、「裏声：７７」、および「息漏れ：９４」と表示され、全ての基礎項目で高い評価とされている。
【００８４】
図６Ｃにおいて、歌唱訓練指示コメントＣＳ１は、乖離度評価で合格となった際の合格指示コメントＣＳｃを表示している。図６Ｃに示す場合では、全ての基礎項目に対して基礎訓練が必要ないと判断されたことから、学習者へ他の歌唱訓練メニュー８ａの実施を促すコメントが表示されている。
【００８５】
歌唱訓練選択キーＫ４は、歌唱訓練メニュー８ａの選択の指示を受け付ける。終了キーＫ５は、歌唱訓練メニュー８ａの終了の指示を受け付ける。なお、歌唱訓練選択キーＫ４が入力された際の処理については、後述する図９ないし図１１を参照して説明する。
【００８６】
図７Ａは、第６表示画面を示す説明図である。
【００８７】
第６表示画面ＤＰ６は、基礎訓練の結果を示す画面であって、乖離度評価によって不合格とされた場合を示している。第６表示画面ＤＰ６では、基礎訓練結果コメントＣＨ２、基礎訓練評価コメントＣＰ２、基礎訓練指示コメントＣＳ２、および繰り返しキーＫ６が表示されている。
【００８８】
基礎訓練結果コメントＣＨ２は、基礎訓練における乖離度評価で不合格となったことを示す基礎不合格コメントＣＨｄを表示しており、図７Ａでは、「基礎訓練評価：不合格」と表示されている。基礎訓練評価コメントＣＰ２は、実施された基礎訓練メニュー８ｂに対応する基礎項目の乖離度Ｘに応じた得点を表示している。基礎訓練評価コメントＣＰ２に表示される得点は、歌唱訓練評価コメントＣＰ１に表示される得点と同様としてもよい。図７Ａでは、基礎訓練評価コメントＣＰ２に「評価：３２」と表示されている。
【００８９】
基礎訓練指示コメントＣＳ２は、基礎訓練の結果に対する学習者への指示を表示しており、図７Ａでは、乖離度評価で不合格となった際の繰り返しコメントＣＳｄを表示している。図７Ａに示す場合では、基礎訓練で低い評価とされたことから、繰り返しコメントＣＳｄには、「基礎訓練を繰り返します」と表示されており、学習者に基礎訓練の繰り返しを促している。
【００９０】
繰り返しキーＫ６は、基礎訓練メニュー８ｂの繰り返しの指示を受け付ける。繰り返しキーＫ６によって、開始される基礎訓練メニュー８ｂは、乖離度評価を行った基礎訓練であって、同じ基礎訓練メニュー８ｂを、再度、実行する。
【００９１】
図７Ｂは、第７表示画面を示す説明図である。
【００９２】
第７表示画面ＤＰ７は、基礎訓練の結果を示す画面であって、乖離度評価によって合格とされた場合を示している。第７表示画面ＤＰ７では、基礎訓練結果コメントＣＨ２、基礎訓練評価コメントＣＰ２、基礎訓練指示コメントＣＳ２、再開キーＫ８、および基礎訓練選択キーＫ７が表示されている。
【００９３】
基礎訓練結果コメントＣＨ２は、基礎訓練における乖離度評価で合格となったことを示す基礎合格コメントＣＨｅを表示しており、図７Ｂでは、「基礎訓練評価：合格」と表示されている。図７Ｂにおいて、基礎訓練評価コメントＣＰ２は、「評価：７５」と表示されている。
【００９４】
基礎訓練指示コメントＣＳ２は、基礎訓練の結果に対する学習者への指示を表示しており、図７Ｂでは、乖離度評価で合格となった際の再開コメントＣＳｅを表示している。図７Ｂに示す場合では、基礎訓練で高い評価とされたことから、再開コメントＣＳｅには、「歌唱訓練を再開します」と表示されており、学習者に歌唱訓練の再開を促している。つまり、基礎訓練によって、学習者に基本能力が備わったと判断されれば、元の歌唱訓練を実施する。
【００９５】
基礎訓練選択キーＫ７は、基礎訓練メニュー８ｂの選択を受け付けるものであって、後述する第８表示画面ＤＰ８を表示させる。
【００９６】
再開キーＫ８は、歌唱訓練メニュー８ａの再開の指示を受け付ける。再開キーＫ８によって、開始される歌唱訓練メニュー８ａは、基礎訓練を実施する前の歌唱訓練とされており、同じ歌唱訓練メニュー８ａを、再度、実行する。基礎訓練選択キーＫ７は、図７Ａと同様であるので、説明を省略する。
【００９７】
図８は、第８表示画面を示す説明図である。
【００９８】
第８表示画面ＤＰ８は、基礎訓練メニュー８ｂの選択を受け付ける画面であって、基礎訓練選択コメントＣ４と、４つの基礎訓練メニューキーＫ９とが表示されている。基礎訓練選択コメントＣ４は、学習者に基礎訓練メニュー８ｂの選択を促すコメントであって、図８では、「基礎訓練する項目を選んでください」と表示されている。
【００９９】
基礎訓練メニューキーＫ９は、基礎訓練メニュー８ｂの選択を受け付ける。図８では、基礎項目に対応する４つの基礎訓練メニューキーＫ９が設けられているが、これに限定されず、基礎項目の数に応じて、基礎訓練メニューキーＫ９の数を変更してもよい。
【０１００】
次に、歌唱訓練装置１における歌唱訓練方法の処理フローについて、それぞれ図面を参照して説明する。
【０１０１】
図９は、歌唱訓練方法のメインフローを示すフロー図である。
【０１０２】
歌唱訓練装置１において、処理開始時には、図４に示す第１表示画面ＤＰ１が表示部３に表示されている。
【０１０３】
ステップＳ０１では、訓練メニュー選択部６ａによって、歌唱訓練メニュー８ａが選択されたかどうかを待つ。つまり、歌唱訓練メニューキーＫ１の入力によって、実施する歌唱訓練メニュー８ａを学習者に選択されるのを待つ。歌唱訓練メニュー８ａが選択されない場合には（ステップＳ０１：Ｎｏ）、歌唱訓練メニュー８ａが選択されるまで待機する。一方、歌唱訓練メニュー８ａが選択された場合には（ステップＳ０１：Ｙｅｓ）、ステップＳ２へ進む。
【０１０４】
ステップＳ０２では、図１０に後述する歌唱訓練メニュー処理を実施する。その結果、乖離度Ｘとして、基礎項目毎の項目乖離度Ｘｋが算出され、ステップＳ０３へ進む。
【０１０５】
ステップＳ０３では、訓練メニュー指定部６ｄによって、乖離度評価が行われる。上述したように、ステップＳ０２で算出された項目乖離度Ｘｋと、項目乖離度Ｘｋに対応する項目閾値Ｐ０とがそれぞれ比較される。乖離度評価によって、不合格と判定された際には、図６Ａに示す第３表示画面ＤＰ３が表示され、要注意と判定された際には、図６Ｂに示す第４表示画面ＤＰ４が表示され、合格と判定された際には、図６Ｃに示す第５表示画面ＤＰ５が表示される。なお、歌唱訓練評価コメントＣＰ１に表示される得点については、適宜調整すればよい。
【０１０６】
ステップＳ０４では、訓練メニュー指定部６ｄによって、乖離度評価の評価結果が不合格であるかどうかが判断される。その結果、評価結果が不合格である場合には（ステップＳ０４：Ｙｅｓ）、ステップＳ０５へ進む。一方、評価結果が不合格でない場合には（ステップＳ０４：Ｎｏ）、ステップＳ０６へ進む。
【０１０７】
ステップＳ０５では、図１１に後述する基礎訓練メニュー処理を実施する。基礎訓練メニュー処理が終了すれば、ステップＳ０２へ戻る。この場合、ステップＳ０１で選択された歌唱訓練メニュー８ａを再開する。つまり、訓練メニュー指定部６ｄは、項目乖離度Ｘｋと項目閾値Ｐ０（特に、第１項目閾値Ｐ１）とを比較した際、いずれの項目乖離度Ｘｋも対応する項目閾値Ｐ０を超えていない場合、歌唱訓練メニューを指定する。従って、学習者に基本能力が備わっていると判断されれば、さらなる歌唱訓練を実施して、学習者の歌唱能力をより強化することができる。
【０１０８】
ステップＳ０６では、訓練メニュー指定部６ｄによって、乖離度評価の評価結果が要注意であるかどうかが判断される。その結果、評価結果が要注意である場合には（ステップＳ０４：Ｙｅｓ）、ステップＳ０２へ戻る。一方、評価結果が要注意でない場合には（ステップＳ０４：Ｎｏ）、ステップＳ０７へ進む。
【０１０９】
ステップＳ０７では、訓練の終了を指示されたかどうかが判断される。つまり、終了キーＫ５を選択されたかどうかが判断される。その結果、訓練の終了を指示された場合には（ステップＳ０７：Ｙｅｓ）、処理を終了する。一方、訓練の終了を指示されない場合には（ステップＳ０７：Ｎｏ）、ステップＳ０１へ戻る。つまり、歌唱訓練選択キーＫ４が選択された場合には、第１表示画面ＤＰ１を表示して、歌唱訓練メニュー８ａを選択させる。
【０１１０】
図１０は、歌唱訓練メニュー処理を示すフロー図である。
【０１１１】
ステップＳ１１では、範唱出力部２によって、選択された歌唱訓練メニュー８ａを出力する。つまり、ステップＳ０１で訓練メニュー選択部６ａによって、選択された歌唱訓練メニュー８ａを出力し、図５に示す第２表示画面ＤＰ２を表示部３に表示させる。
【０１１２】
ステップＳ１２では、音声入力部４によって、音声の入力を受け付ける。ここでは、時間の経過に応じ、新たな歌詞を表示するなどして、訓練コメントＣ２および歌詞コメントＣ３に表示する内容を適宜変更してもよい。
【０１１３】
ステップＳ１３では、音声分析部６ｂによって、学習者の音声を分析して、学習者音声情報ＧＤを生成する。すなわち、学習者の音声に基づいて、例えば、図３Ａないし図３Ｄに示すような学習者音声情報ＧＤが生成される。
【０１１４】
ステップＳ１４では、乖離度算出部６ｃによって、乖離度Ｘ（項目乖離度Ｘｋ）を算出し、歌唱訓練メニュー処理を終了する。ここでは、ステップＳ１１で出力した歌唱訓練メニュー８ａに対応する範唱音声情報ＨＤと、ステップＳ１３で生成した学習者音声情報ＧＤとが比較される。上述したように、ステップＳ０３では、ここで算出された項目乖離度Ｘｋに基づいて、乖離度評価が行われる。
【０１１５】
図１１は、基礎訓練メニュー処理を示すフロー図である。
【０１１６】
ステップＳ２１では、範唱出力部２によって、指定された基礎項目の基礎訓練メニュー８ｂを出力する。ここで、訓練メニュー指定部６ｄは、乖離度評価の結果に基づいて、要訓練項目の基礎訓練メニュー８ｂを指定する。表示部３には、図５に示す第２表示画面ＤＰ２などを表示すればよい。
【０１１７】
ステップＳ２２およびステップＳ２３は、図１０のステップＳ１２およびステップＳ１３と同様であるので、説明を省略する。
【０１１８】
ステップＳ２４では、乖離度算出部６ｃによって、乖離度Ｘ（項目乖離度Ｘｋ）を算出し、乖離度評価を行う。なお、基礎訓練メニュー８ｂを実施した際には、要訓練項目の項目乖離度Ｘｋだけを算出してもよいし、他の基礎項目の項目乖離度Ｘｋも併せて算出してもよい。乖離度評価によって、不合格と判定された際には、図７Ａに示す第６表示画面ＤＰ６が表示され、合格と判定された際には、図７Ｂに示す第７表示画面ＤＰ７が表示される。
【０１１９】
ステップＳ２５では、訓練メニュー指定部６ｄによって、乖離度評価の評価結果が不合格であるかどうかが判断される。その結果、評価結果が不合格である場合には（ステップＳ２５：Ｙｅｓ）、ステップＳ２１へ戻る。一方、評価結果が不合格でない場合には（ステップＳ２５：Ｎｏ）、基礎訓練メニュー処理を終了する。
【０１２０】
歌唱訓練装置１では、基礎訓練メニュー８ｂで合格とされた際、他の基礎訓練メニュー８ｂを実施（シフト）することができる。具体的には、ステップＳ２５において、第７表示画面ＤＰ７を表示している際に、基礎訓練選択キーＫ７が選択されると、処理を一旦停止し、新たな基礎訓練メニュー８ｂを開始する。ここで、新たな基礎訓練メニュー８ｂは、終了させた基礎訓練メニュー８ｂに対応する基礎項目を除いて、乖離度Ｘが大きい基礎項目から順に選ばれる。また、基礎訓練選択キーＫ７が選択された際に、第８表示画面ＤＰ８を表示して、学習者に基礎訓練メニュー８ｂを選択させてもよい。新たな基礎訓練メニュー８ｂが選択されると、ステップＳ２１へ戻って、新たな基礎訓練メニュー処理を開始する。ステップＳ２１では、選択された基礎訓練メニュー８ｂを出力して、処理を進める。新たな基礎訓練メニュー処理が終了すると、ステップＳ２５へ戻って、一旦停止した基礎訓練メニュー処理を再開する。なお、他の基礎訓練メニュー８ｂへシフトした際には、他の基礎訓練メニュー８ｂを何度でも繰り返すことができ、基礎訓練メニュー８ｂを完了させると、歌唱訓練メニュー処理へ戻る。
【０１２１】
また、複数の要訓練項目が存在する場合は、ステップＳ２１で第１要訓練項目の基礎訓練メニュー８ｂを指定し、処理を進める。そして、乖離度評価で合格と判定された際に、ステップＳ０２へ戻らずに、ステップＳ２１へ戻る。ステップＳ２１では、第２要訓練項目の基礎訓練メニュー８ｂを指定して、再度、処理を進める。このように、全ての要訓練項目で合格と判定されるまで、基礎訓練を繰り返せばよい。すなわち、複数の基本能力が不足している場合には、最も不足した基本能力を重視した基礎訓練を選択することで、学習者に適した訓練を施すことができる。
【０１２２】
さらに、第６表示画面ＤＰ６および第７表示画面ＤＰ７では、基礎訓練評価コメントＣＰ２に１つの基礎項目における評価が表示されていたが、これに限定されず、複数の基礎項目における評価を表示してもよい。そして、基礎訓練メニュー８ｂは、対応する基礎項目を１つに限定せず、複数の基礎項目に対応させてもよく、基礎項目毎に選択する基礎訓練メニュー８ｂの優先度などを設定すればよい。この場合、訓練メニュー指定部６ｄは、優先度に基づいて、基礎訓練メニュー８ｂを指定する。
【０１２３】
複数の訓練メニュー（歌唱訓練メニュー８ａおよび基礎訓練メニュー８ｂ）は、それぞれ難易度が予め設定されていてもよい。訓練メニュー指定部６ｄは、難易度が低い訓練メニューから順に指定する。例えば、基礎訓練メニュー８ｂを実施した際には、ステップＳ２４の乖離度評価で合格と判定されると、ステップＳ０２へ戻らずに、ステップＳ２１へ戻って、難易度が異なる基礎訓練メニュー８ｂを実施させる。そして、予め設定された難易度の基礎訓練メニュー８ｂで合格と判定されると、ステップＳ０２へ戻って、歌唱訓練メニュー８ａを再開させる。また、歌唱訓練メニュー８ａを実施した際には、ステップＳ０３の乖離度評価で合格と判定されると、ステップＳ０７で訓練の終了が指示されていないと判断し、ステップＳ０１へ戻って、難易度が異なる歌唱訓練メニュー８ａを選択する。そして、予め設定された難易度の歌唱訓練メニュー８ａで合格と判定されると、処理を終了する。
【０１２４】
また、歌唱訓練装置１では、フレーズ毎に訓練メニューを実施する構成としてもよい。この場合、楽曲の途中のフレーズにおいて、ステップＳ０３の乖離度評価で合格と判定されると、ステップＳ０７で訓練の終了が指示されていないと判断し、ステップＳ０１へ戻って、次のフレーズの歌唱訓練メニュー８ａを選択する。そして、楽曲の最後に到達すると、処理を終了する。さらに、音声の入力と乖離度評価とを平行して処理してもよく、所定のフレーズにおける音声の入力が完了すると、乖離度評価を行う。そして、乖離度評価で合格と判定された際には、範唱（歌唱訓練メニュー８ａ）を続け、乖離度評価で不合格と判定された際には、範唱を止めて、基礎訓練メニュー処理を実施すればよい。
【０１２５】
なお、第３表示画面ＤＰ３ないし第７表示画面ＤＰ７では、基礎訓練開始キーＫ２、歌唱訓練開始キーＫ３、繰り返しキーＫ６、および再開キーＫ８が選択されてから、基礎訓練メニュー８ｂまたは歌唱訓練メニュー８ａを開始させているが、これに限定されず、学習者の入力を待たずに基礎訓練メニュー８ｂまたは歌唱訓練メニュー８ａを開始させてもよい。つまり、基礎訓練および歌唱訓練の結果を表示した後、時間の経過に応じて、歌唱訓練装置１が自動的に訓練メニューを開始させる。この場合には、上述したキーを設けなくてもよい。
【０１２６】
本発明の実施の形態に係る歌唱訓練装置１における歌唱訓練方法は、範唱に対応する範唱音声情報ＨＤが、それぞれ設定された複数の訓練メニューを記憶する訓練メニュー記憶部８を備え、出力された範唱に対し追唱した学習者の音声を評価して、歌唱の訓練を実施する歌唱訓練装置１における歌唱訓練方法であって、訓練メニュー選択部６ａに、訓練メニュー記憶部８に記憶された複数の訓練メニューのうち、いずれかの訓練メニューを選択させる訓練メニュー選択ステップと、範唱出力部２に、訓練メニュー選択部６ａに選択された訓練メニューに基づいて、範唱を出力させる範唱出力ステップと、音声入力部４に、学習者の音声の入力を受け付けさせる音声入力ステップと、音声分析部６ｂに、音声入力部４に入力された学習者の音声を分析して、学習者音声情報ＧＤを生成させる音声分析ステップと、乖離度算出部６ｃに、訓練メニュー選択部６ａに選択された訓練メニューに対応する範唱音声情報ＨＤと、音声分析部６ｂに生成された学習者音声情報ＧＤとを比較して、隔たりを示す乖離度Ｘを算出させる乖離度算出ステップと、訓練メニュー指定部６ｄに、乖離度算出部６ｃに算出された乖離度Ｘに基づいて、訓練メニュー選択部６ａに選択させる訓練メニューを指定させる訓練メニュー指定ステップとを含み、学習者音声情報ＧＤは、歌唱における基礎の要素として複数の基礎項目が予め設定されており、複数の訓練メニューは、複数の基礎項目に対応した基礎訓練メニュー８ｂと、歌唱の訓練に対応する歌唱訓練メニュー８ａとを含む構成とされ、乖離度Ｘは、複数の基礎項目毎に項目乖離度Ｘｋが設けられ、項目乖離度Ｘｋ毎に対応する項目閾値Ｐ０が設定されており、訓練メニュー指定ステップは、複数の基礎項目毎の項目乖離度Ｘｋと、項目乖離度Ｘｋに対応する項目閾値Ｐ０とをそれぞれ比較して、いずれかの項目乖離度Ｘｋが対応する項目閾値Ｐ０を超えた場合、項目乖離度Ｘｋに対応する基礎項目の基礎訓練メニュー８ｂを指定することを特徴とする。
【０１２７】
この構成によると、歌唱の評価において、基礎項目毎に評価することで、学習者が習得できていない基本能力を顕在化させ、不足する基本能力に遡って基礎訓練を実施するので、学習者の歌唱能力を確実に強化することができる。
【０１２８】
また、本発明は、歌唱訓練方法を実現するためにコンピュータにより実行される歌唱訓練プログラムを含む。コンピュータは、例えば、歌唱訓練装置１のＣＰＵ６であり、プログラムを実行し得るデバイスであれば、如何なるものであっても良い。
【０１２９】
歌唱訓練装置１は、カラオケ装置に適用されていてもよく、カラオケ装置は、例えば、ＭＩＤＩ音源およびアンプミキサ等を備え、多数の演奏曲のなかからいずれかを選択して出力すると伴に、マイクロフォンから入力された音声を増幅して出力する。また、歌唱訓練装置１は、これに限定されず、ＣＰＵ、ＲＡＭ、ＲＯＭ、およびＨＤＤ等を有する一般的なパーソナルコンピュータであって、マイクロフォンおよびスピーカを備えた構成とされていてもよい。つまり、マイクロフォンおよびスピーカを備えた端末であればよく、歌唱訓練プログラムを記憶した携帯電話端末やタブレット端末とされていてもよい。
【０１３０】
なお、今回開示した実施の形態は全ての点で例示であって、限定的な解釈の根拠となるものではない。従って、本発明の技術的範囲は、上記した実施の形態のみによって解釈されるものではなく、特許請求の範囲の記載に基づいて画定される。また、特許請求の範囲と均等の意味および範囲内での全ての変更が含まれる。
【符号の説明】
【０１３１】
１  歌唱訓練装置
２  範唱出力部
３  表示部
４  音声入力部
５  操作入力部
６  ＣＰＵ
６ａ  訓練メニュー選択部
６ｂ  音声分析部
６ｃ  乖離度算出部
６ｄ  訓練メニュー指定部
７  記憶領域
８  訓練メニュー記憶部
８ａ  歌唱訓練メニュー
８ｂ  基礎訓練メニュー
ＧＤ  学習者音声情報
ＨＤ  範唱音声情報
【図１】
2016173540.tif 000003
【図２】
2016173540.tif 000004
【図３Ａ】
2016173540.tif 000005
【図３Ｂ】
2016173540.tif 000006
【図３Ｃ】
2016173540.tif 000007
【図３Ｄ】
2016173540.tif 000008
【図４】
2016173540.tif 000009
【図５】
2016173540.tif 000010
【図６Ａ】
2016173540.tif 000011
【図６Ｂ】
2016173540.tif 000012
【図６Ｃ】
2016173540.tif 000013
【図７Ａ】
2016173540.tif 000014
【図７Ｂ】
2016173540.tif 000015
【図８】
2016173540.tif 000016
【図９】
2016173540.tif 000017
【図１０】
2016173540.tif 000018
【図１１】
2016173540.tif 000019